【手続補正書】
【提出日】平成17年5月27日(2005.5.27)
【手続補正１】
【補正対象書類名】明細書
【補正対象項目名】発明の名称
【補正方法】変更
【補正の内容】
【発明の名称】情報処理システム、情報処理装置および方法、並びにプログラム格納媒体
【手続補正２】
【補正対象書類名】明細書
【補正対象項目名】特許請求の範囲
【補正方法】変更
【補正の内容】
【特許請求の範囲】
【請求項１】
コンテンツ情報を調整して出力する複数の第１の情報処理装置と、
前記第１の情報処理装置で蓄積した情報から、最適調整値を推定する第２の情報処理装置と
を備える情報処理システムにおいて、
前記第１の情報処理装置は、
出力する前記コンテンツ情報を調整する調整値と、前記調整値に関連する関連情報を取得する第１の取得手段と、
前記第１の取得手段により取得された前記調整値と前記関連情報を記憶する記憶手段と
を備え、
前記第２の情報処理装置は、
複数の前記第１の情報処理装置の前記記憶手段に記憶された前記調整値と前記関連情報を取得する第２の取得手段と、
前記第２の取得手段により取得された前記調整値と前記関連情報を加工する加工手段と、
前記加工手段により加工された前記調整値と前記関連情報に基づいて、最適な前記調整値を推定する推定手段と、
前記推定手段により推定された最適な前記調整値を出力する出力手段と
を備えることを特徴とする情報処理システム。
【請求項２】
コンテンツ情報を調整して出力する複数の第１の情報処理装置と、
前記第１の情報処理装置で蓄積した情報から、最適調整値を推定する第２の情報処理装置と
を備える情報処理システムの情報処理方法において、
前記第１の情報処理装置は、
出力する前記コンテンツ情報を調整する調整値と、前記調整値に関連する関連情報を取得する第１の取得ステップと、
前記第１の取得ステップの処理により取得された前記調整値と前記関連情報を記憶する記憶ステップと
を含み、
前記第２の情報処理装置は、
複数の前記第１の情報処理装置の前記記憶ステップの処理により記憶された前記調整値と前記関連情報を取得する第２の取得ステップと、
前記第２の取得ステップの処理により取得された前記調整値と前記関連情報を加工する加工ステップと、
前記加工ステップの処理により加工された前記調整値と前記関連情報に基づいて、最適な前記調整値を推定する推定ステップと、
前記推定ステップの処理により推定された最適な前記調整値を出力する出力ステップと
を含むことを特徴とする情報処理方法。
【請求項３】
出力するコンテンツ情報を調整する調整値と、前記調整値に関連する関連情報を取得する取得手段と、
前記取得手段により取得された前記調整値と前記関連情報を記憶する記憶手段と
を備えることを特徴とする情報処理装置。
【請求項４】
コンテンツ情報を調整して出力する情報処理装置の情報処理方法において、
出力するコンテンツ情報を調整する調整値と、前記調整値に関連する関連情報を取得する取得ステップと、
前記取得ステップの処理により取得された前記調整値と前記関連情報を記憶する記憶ステップと
を含むことを特徴とする情報処理方法。
【請求項５】
コンテンツ情報を調整して出力する情報処理装置のプログラムであって、
出力するコンテンツ情報を調整する調整値と、前記調整値に関連する関連情報を取得する取得ステップと、
前記取得ステップの処理により取得された前記調整値と前記関連情報の記憶を制御する記憶制御ステップと
を含むことを特徴とするコンピュータが読み取り可能なプログラムが格納されているプログラム格納媒体。
【請求項６】
コンテンツ情報を調整値に基づいて調整して出力する複数の他の情報処理装置から、前記他の情報処理装置に記憶された、前記調整値と前記調整値に関連する関連情報を取得する取得手段と、
前記取得手段により取得された前記調整値と前記関連情報を加工する加工手段と、
前記加工手段により加工された前記調整値と前記関連情報に基づいて、最適な前記調整値を推定する推定手段と、
前記推定手段により推定された最適な前記調整値を出力する出力手段と
を備えることを特徴とする情報処理装置。
【請求項７】
前記推定手段は、前記関連情報と前記調整値のばらつきに、予め定めた特定の関係が成立する場合、前記関連情報を適度指標として抽出することを特徴とする請求項６に記載の情報処理装置。
【請求項８】
前記推定手段は、前記調整値のばらつきとして分散、標準偏差、又は、最大値と最小値の差を用いる
ことを特徴とする請求項７に記載の情報処理装置。
【請求項９】
前記適度指標として抽出した前記関連情報と前記調整値のばらつきの予め定めた特定の関係は、前記適度指標に対し前記調整値のばらつきが、単調減少するという関係、単調増加するという関係、または、単調減少後単調増加するという関係を含む
ことを特徴とする請求項７に記載の情報処理装置。
【請求項１０】
前記推定手段は、前記特定の関係が単調減少または単調増加である場合、それぞれ前記適度指標が増加、または減少するときの前記調整値の収束値を推定し、前記収束値を最適調整値の推定値とする
ことを特徴とする請求項９に記載の情報処理装置。
【請求項１１】
前記推定手段は、前記適度指標が増加または減少すると、前記調整値が特定の値に収束するような１つ以上の関数を予め有し、前記関数の中から、適度指標と、前記調整値のばらつきの前記適度指標ごとの平均値との関係に最もよく近似する関数を選択し、選択された前記関数の収束値を最適調整値の推定値とする
ことを特徴とする請求項１０に記載の情報処理装置。
【請求項１２】
前記推定手段は、前記特定の関係が単調減少後単調増加するという関係である場合、前記調整値のばらつきが最小となる適度指標における前記調整値の平均値を最適調整値の推定値とする
ことを特徴とする請求項１１に記載の情報処理装置。
【請求項１３】
前記推定手段は、２つ以上の前記適度指標を抽出する
ことを特徴とする請求項７に記載の情報処理装置。
【請求項１４】
前記推定手段は、２つ以上の前記適度指標がある場合、１つずつ前記適度指標を選択し、選択された前記適度指標において調整値のばらつきが最小である方から、所定の数の前記調整値と前記選択された適度指標が関連づけられたデータを選別した後、最後に選択された１つの前記適度指標を用いて最適調整値を推定する
ことを特徴とする請求項１３に記載の情報処理装置。
【請求項１５】
クラスタリングを行うための情報を入力する入力手段をさらに備え、
前記推定手段は、１つ以上の前記関連情報の値を用いてクラスタリングを行い、各クラスタについて最適調整値を推定する
ことを特徴とする請求項６に記載の情報処理装置。
【請求項１６】
前記出力手段は、クラスタリングに適する前記関連情報をさらに出力し、
前記推定手段は、クラスタリングに適する前記関連情報の候補を抽出する
ことを特徴とする請求項６に記載の情報処理装置。
【請求項１７】
前記推定手段は、クラスタリングに適する前記関連情報の候補を抽出する場合、調整値全体における関連情報のばらつきと各調整値におけるの関連情報のばらつきの比の中の最小のものが、所定の定数以上であるという条件を満たす前記関連情報をクラスタリング用の関連情報として抽出する
ことを特徴とする請求項１６に記載の情報処理装置。
【請求項１８】
蓄積した情報から最適調整値を推定する情報処理装置の情報処理方法において、
コンテンツ情報を調整値に基づいて調整して出力する複数の他の情報処理装置から、前記他の情報処理装置に記憶された、前記調整値と前記調整値に関連する関連情報を取得する取得ステップと、
前記取得ステップの処理により取得された前記調整値と前記関連情報を加工する加工ステップと、
前記加工ステップの処理により加工された前記調整値と前記関連情報に基づいて、最適な前記調整値を推定する推定ステップと、
前記推定ステップの処理により推定された最適な前記調整値を出力する出力ステップと
を含むことを特徴とする情報処理方法。
【請求項１９】
蓄積した情報から最適調整値を推定する情報処理装置のプログラムであって、
コンテンツ情報を調整値に基づいて調整して出力する複数の他の情報処理装置から、前記他の情報処理装置に記憶された、前記調整値と前記調整値に関連する関連情報を取得する取得ステップと、
前記取得ステップの処理により取得された前記調整値と前記関連情報を加工する加工ステップと、
前記加工ステップの処理により加工された前記調整値と前記関連情報に基づいて、最適な前記調整値を推定する推定ステップと、
前記推定ステップの処理により推定された最適な前記調整値を出力する出力ステップと
を含むことを特徴とするコンピュータが読み取り可能なプログラムが格納されているプログラム格納媒体。
【手続補正３】
【補正対象書類名】明細書
【補正対象項目名】０００１
【補正方法】変更
【補正の内容】
【０００１】
【発明の属する技術分野】
本発明は、情報処理システム、情報処理装置および方法、並びにプログラム格納媒体に関し、特に、例えば、既存のテレビジョン受像機の画質や音質などの調整値を、簡単に、かつ、精度よく推定することができるようにした情報処理システム、情報処理装置および方法、並びにプログラム格納媒体に関する。
【手続補正４】
【補正対象書類名】明細書
【補正対象項目名】００１１
【補正方法】削除
【補正の内容】
【手続補正５】
【補正対象書類名】明細書
【補正対象項目名】００１４
【補正方法】変更
【補正の内容】
【００１４】
推定手段は、調整値のばらつきとして分散、標準偏差、又は、最大値と最小値の差を用いるようにすることができる。
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００２８
【補正方法】削除
【補正の内容】
【手続補正９】
【補正対象書類名】明細書
【補正対象項目名】００２９
【補正方法】変更
【補正の内容】
【００２９】
本発明の情報処理システム、および、情報処理システムの情報処理方法においては、第１の情報処理装置で、コンテンツ情報に関する調整値と、調整値に関連する情報が取得される。そして、取得された調整値と調整値に関連する情報が記憶され、第２の情報処理装置に出力される。第２の情報処理装置は、第１の情報処理装置で記憶された調整値と調整値に関連する情報を取得して加工する。そして、加工された調整値と調整値に関する情報に基づいて最適調整値が推定され、推定された最適調整値が出力される。
【手続補正１０】
【補正対象書類名】明細書
【補正対象項目名】００３０
【補正方法】変更
【補正の内容】
【００３０】
本発明の第１の情報処理装置および方法、並びにプログラム格納媒体においては、コンテンツ情報に関する調整値と、調整値に関連する情報が取得される。そして、取得された調整値と調整値に関連する情報が記憶され、他の情報処理装置に出力される。
【手続補正１１】
【補正対象書類名】明細書
【補正対象項目名】００３１
【補正方法】変更
【補正の内容】
【００３１】
本発明の第２の情報処理装置および方法、並びにプログラム格納媒体においては、他の情報処理装置で記憶された調整値と調整値に関連する情報が取得され加工される。そして、加工された調整値と調整値に関する情報に基づいて最適調整値が推定され、推定された最適調整値が出力される。
【手続補正１２】
【補正対象書類名】明細書
【補正対象項目名】０１７２
【補正方法】変更
【補正の内容】
【０１７２】
本発明の第１の情報処理装置および情報処理方法、並びにプログラム格納媒体によれば、ユーザは、最適な調整値を精度よく、迅速かつ確実に設定することが可能になる。
【手続補正１３】
【補正対象書類名】明細書
【補正対象項目名】０１７３
【補正方法】変更
【補正の内容】
【０１７３】
本発明の第２の情報処理装置および情報処理方法、並びにプログラム格納媒体によれば、ユーザに、他の情報処理装置に対して、最適な調整値を精度よく、迅速かつ確実に設定させることが可能になる。